【手続補正書】
【提出日】平成19年1月11日(2007.1.11)
【手続補正１】
【補正対象書類名】特許請求の範囲
【補正対象項目名】全文
【補正方法】変更
【補正の内容】
【特許請求の範囲】
【請求項１】
複数のＡ／Ｄ変換手段を有するＡ／Ｄ変換回路において、前記複数のＡ／Ｄ変換手段の出力信号を、前記複数のＡ／Ｄ変換手段のうちいずれか１つのＡ／Ｄ変換手段の出力信号に合わせて補正する補正手段を有することを特徴とするＡ／Ｄ変換回路。
【請求項２】
前記補正手段は、前記複数のＡ／Ｄ変換手段の出力の差分を検出する第１の差分検出手段と、前記複数のＡ／Ｄ変換手段のうちいずれか１つのＡ／Ｄ変換手段の出力と関連付けて前記第１の差分検出手段からの出力を記憶する記憶手段と、前記Ａ／Ｄ変換手段の出力と前記記憶手段の出力の差分を検出する第２の差分検出手段とを有することを特徴とする請求項１に記載のＡ／Ｄ変換回路。
【請求項３】
前記補正手段は、更に前記複数のＡ／Ｄ変換手段に基準信号を出力する基準信号発生手段を有することを特徴とする請求項２に記載のＡ／Ｄ変換回路。
【請求項４】
複数のＡ／Ｄ変換手段を有するＡ／Ｄ変換回路の出力特性を補正する出力補正方法であって、前記複数のＡ／Ｄ変換手段の出力信号を前記複数のＡ／Ｄ変換手段のうちいずれか１つのＡ／Ｄ変換手段の出力信号に合わせて補正することを特徴とするＡ／Ｄ変換回路の出力補正方法。
【請求項５】
入射した光を電気信号に変換する光電変換素子と前記電気信号を転送するスイッチ素子とを含む画素が２次元に配列された画素部と、複数の前記画素の前記スイッチ素子を介して前記光電変換素子からの電気信号を読み出す複数の信号配線と、を備えた変換回路部と、
前記複数の信号配線と接続され、前記光電変換素子からの電気信号を行毎に読み出す読み出し用回路部と、を有する撮像装置において、
前記読み出し用回路部は、前記複数の信号配線からの信号をデジタル信号に変換する複数のＡ／Ｄ変換手段の出力信号を、当該複数のＡ／Ｄ変換手段のうちいずれか１つのＡ／Ｄ変換手段の出力信号に合わせて補正する補正手段を有することを特徴とする撮像装置。
【請求項６】
前記補正手段は、前記複数のＡ／Ｄ変換手段の出力の差分を検出する第１の差分検出手段と、前記複数のＡ／Ｄ変換手段うちいずれか１つのＡ／Ｄ変換手段の出力と関連付けて前記第１の差分検出手段からの出力を記憶する記憶手段と、前記Ａ／Ｄ変換手段の出力と前記記憶手段の出力の差分を検出する第２の差分検出手段とを有することを特徴とする請求項５に記載の撮像装置。
【請求項７】
前記補正手段は、更に前記複数のＡ／Ｄ変換手段に基準信号を出力する基準信号発生手段を有することを特徴とする請求項６に記載の撮像装置。
【請求項８】
前記補正手段は、前記基準信号を前記複数のＡ／Ｄ変換手段に入力し、前記複数のＡ／Ｄ変換手段のうちいずれか１つのＡ／Ｄ変換手段の出力と残りのＡ／Ｄ変換手段の出力との差分を、前記残りのＡ／Ｄ変換手段の出力と関連付けて前記記憶手段に記憶させる出力特性差分取得動作と、前記記憶手段から前記残りのＡ／Ｄ変換手段の出力に対応する出力値を読み出し、該出力値と前記残りのＡ／Ｄ変換出段の出力とを差分することによって前記残りのＡ／Ｄ変換手段の出力を補正する実駆動動作とを行うことを特徴とする請求項６または７のいずれか１項に記載の撮像装置。
【請求項９】
入射した放射線を電気信号に変換する変換手段と前記電気信号を転送するスイッチ素子とを含む画素が２次元に配列された画素部と、複数の前記画素の前記スイッチ素子を介して前記変換手段からの電気信号を読み出す複数の信号配線と、を備えた変換回路部と、
前記複数の信号配線と接続され、光電変換手段からの電気信号を行毎に読み出す読み出し用回路部と、を有する放射線撮像装置において、
前記読み出し用回路部は、前記複数の信号配線からの信号をデジタル信号に変換する複数のＡ／Ｄ変換手段の出力信号を、当該複数のＡ／Ｄ変換手段のうちいずれか１つのＡ／Ｄ変換手段の出力信号に合わせて補正する補正手段を有することを特徴とする放射線撮像装置。
【請求項１０】
前記補正手段は、前記複数のＡ／Ｄ変換手段の出力の差分を検出する第１の差分検出手段と、前記複数のＡ／Ｄ変換手段うちいずれか１つのＡ／Ｄ変換手段の出力と関連付けて前記第１の差分検出手段からの出力を記憶する記憶手段と、前記Ａ／Ｄ変換手段の出力と前記記憶手段の出力の差分を検出する第２の差分検出手段とを有することを特徴とする請求項９に記載の放射線撮像装置。
【請求項１１】
前記補正手段は、更に前記複数のＡ／Ｄ変換手段に基準信号を出力する基準信号発生手段を有することを特徴とする請求項１０に記載の放射線撮像装置。
【請求項１２】
前記変換手段は、放射線を可視光に変換する蛍光体と、該蛍光体からの光を電気信号に変換する光電変換素子とを有することを特徴とする請求項９〜１１のいずれか１項に記載の放射線撮像装置。
【請求項１３】
前記変換手段は、放射線を直接電気信号に変換する変換素子を有することを特徴とする請求項９〜１１のいずれか１項に記載の放射線撮像装置。
【請求項１４】
前記補正手段は、前記基準信号を変化させながら前記複数のＡ／Ｄ変換手段に入力し、前記複数のＡ／Ｄ変換手段のうちいずれか１つのＡ／Ｄ変換手段の出力と残りのＡ／Ｄ変換手段の出力との差分を、前記残りのＡ／Ｄ変換手段の出力と関連付けて前記記憶手段に記録させる出力特性差分取得動作と、前記記憶手段から前記残りのＡ／Ｄ変換手段の出力に対応する出力値を読み出し、該出力値と前記残りのＡ／Ｄ変換出段の出力とを差分することによって前記残りのＡ／Ｄ変換手段の出力を補正する実駆動動作と、を行うことを特徴とする請求項１０〜１３のいずれか１項に記載の放射線撮像装置。
【請求項１５】
請求項９〜１４のいずれか１項に記載の放射線撮像装置と、前記放射線撮像装置からの信号を画像として処理する処理手段と、前記処理手段からの信号を記録する記録手段と、前記処理手段からの信号を表示する表示手段と、前記処理手段からの信号を伝送する伝送手段と、前記放射線を発生する放射線源とを備えたことを特徴とする放射線撮像システム。
【手続補正２】
【補正対象書類名】明細書
【補正対象項目名】００２０
【補正方法】変更
【補正の内容】
【００２０】
また、本発明は、入射した光を電気信号に変換する光電変換素子と前記電気信号を転送するスイッチ素子とを含む画素が２次元に配列された画素部と、複数の前記画素の前記スイッチ素子を介して前記光電変換素子からの電気信号を読み出す複数の信号配線と、を備えた変換回路部と、前記複数の信号配線と接続され、前記光電変換素子からの電気信号を行毎に読み出す読み出し用回路部と、を有する撮像装置において、前記読み出し用回路部は、前記複数の信号配線からの信号をデジタル信号に変換する複数のＡ／Ｄ変換手段の出力信号を、当該複数のＡ／Ｄ変換手段のうちいずれか１つのＡ／Ｄ変換手段の出力信号に合わせて補正する補正手段を有することを特徴とする。
【手続補正３】
【補正対象書類名】明細書
【補正対象項目名】００２１
【補正方法】変更
【補正の内容】
【００２１】
また、本発明は、入射した放射線を電気信号に変換する変換手段と前記電気信号を転送するスイッチ素子とを含む画素が２次元に配列された画素部と、複数の前記画素の前記スイッチ素子を介して前記変換手段からの電気信号を読み出す複数の信号配線と、を備えた変換回路部と、前記複数の信号配線と接続され、光電変換手段からの電気信号を行毎に読み出す読み出し用回路部と、を有する放射線撮像装置において、前記読み出し用回路部は、前記複数の信号配線からの信号をデジタル信号に変換する複数のＡ／Ｄ変換手段の出力信号を、当該複数のＡ／Ｄ変換手段のうちいずれか１つのＡ／Ｄ変換手段の出力信号に合わせて補正する補正手段を有することを特徴とする。